(57)【要約】    【課題】      鋳物調等の風合いを呈する意匠性に優れた跳ね上げ門扉を提供する。    【解決手段】  符号１０は出入口の両端部に設置された支柱、符号２０は支柱１０には回動自在に設けられたアーム部、符号３０はアーム部２０の先端に設けられたパネル体３０である。パネル体３０は、両端に配置された縦框３１と、縦框３１の上下端に固定された上側横框３２及び下側横框３３とで枠が形成されている。縦框３１の上部近傍間に横桟３４が固定されるとともに、上側及び下側横框３２、３３間に多数の縦桟３５が固定されている。縦框３１、上側及び下側横框３２、３３、横桟３４、縦桟３５は、鍛造により中空状アルミニウム形材の表面に凹凸を形成したロートアルミ形材で形成されている。【選択図】        図１
2009180002.tif 000002
【特許請求の範囲】
【請求項１】
支柱と、該支柱に回動自在に設けられたアームと、該アームに設けられたパネル体とを有し、該アームの回動によりパネル体を開閉する跳ね上げ門扉であって、該パネル体が、鍛造により中空状アルミニウム形材の表面に凹凸を形成したロートアルミ形材で形成されていることを特徴とする跳ね上げ門扉。
【請求項２】
前記パネル体が、上下の横框と、左右の縦框と、該上下の横框間に設けられた縦桟とを有し、該上下の横框の断面形状が、パネル体の閉成状態において前後方向の長さが垂直方向の長さより長く形成されていることを特徴とする請求項１記載の跳ね上げ門扉。
【請求項３】
前記上下の横框と、左右の縦框と、縦桟とが溶接により接合されていることを特徴とする請求項２記載の跳ね上げ門扉。
【発明の詳細な説明】
【技術分野】
【０００１】
本発明は、パネル体を上下方向に回転させて開閉する跳ね上げ門扉に関し、さらに詳しくは、パネル体の意匠性に優れた跳ね上げ門扉に関するものである。
【背景技術】
【０００２】
一般に、車庫の出入口に設ける門扉として跳ね上げ門扉がある。この跳ね上げ門扉は、出入口の両端に支柱を設置し、支柱にアームを回動自在に設けるとともに、アームにパネル体を取り付けたものであり、アームを上下方向に回動させることによりパネル体を開閉するものである（例えば、特許文献１参照。）。
【０００３】
ところで、跳ね上げ門扉においては、アームを回動させてパネル体を上下方向に回動させるものであるので、パネル体の重量が大きくなると、パネル体を上方へ回動させることが出来なくなるものであった。したがって、跳ね上げ門扉のパネル体には、重量が大きくなるロートアイアン製や鋳物製のものを用いることが出来なかった。その結果、従来、パネル体としてアルミニウム形材を用いざるを得ないものであった。
【０００４】
【特許文献１】特開昭６１−１２２３８５号公報
【発明の開示】
【発明が解決しようとする課題】
【０００５】
しかしながら、アルミニウム形材を用いたパネル体は意匠性に乏しく、使用者の好みや、周囲の環境に調和した外観に加工することが出来なかった。例えば、周囲に鋳物製の柵や門扉がある場合、外観の調和を図るために、車庫に設置する跳ね上げ門扉においても鋳物製の外観を呈することが要望されるが、アルミニウム形材を用いたパネル体では、框や桟の全体形状を変更したり、色彩を変更する以外に選択肢がなく、このような要望を満足することが出来ないものであった。
【０００６】
以上のように、鋳物調等の風合いを呈する意匠性に優れた跳ね上げ門扉が要望されていたが、未だ有効な技術は提案されていなかった。
【０００７】
本発明は、上述した問題点を解決し、意匠性が優れた外観を有するとともに、軽量で、かつ強度も大きい跳ね上げ門扉を提供することを目的とする。
【課題を解決するための手段】
【０００８】
請求項１に係る跳ね上げ門扉は、支柱と、該支柱に回動自在に設けられたアームと、該アームに設けられたパネル体とを有し、該アームの回動によりパネル体を開閉する跳ね上げ門扉であって、該パネル体が、鍛造により中空状アルミニウム形材の表面に凹凸を形成したロートアルミ形材で形成されていることを特徴として構成されている。
【０００９】
請求項２に係る跳ね上げ門扉は、請求項１記載の跳ね上げ門扉において、パネル体が、上下の横框と、左右の縦框と、該上下の横框間に設けられた縦桟とを有し、該上下の横框の断面形状が、パネル体の閉成状態において前後方向の長さが垂直方向の長さより長く形成されていることを特徴として構成されている。
【００１０】
請求項３に係る跳ね上げ門扉は、請求項２記載の跳ね上げ門扉において、上下の横框と縦桟とが溶接により接合されていることを特徴として構成されている。
【発明の効果】
【００１１】
請求項１に係る跳ね上げ門扉によれば、パネル体がロートアルミ形材で形成されており、このロートアルミ形材は、鍛造により表面に凹凸が形成されたものであるので、鋳物やロートアイアン調の風合いを呈することが出来、優れた意匠性を有する。したがって、周囲の環境に調和した好ましい外観とすることが出来る。また、ロートアルミ形材は、中空状アルミニウム形材を加工したものであるので、極めて軽量であり、アームの回動により円滑に回動させることができる。
【００１２】
請求項２に係る跳ね上げ門扉によれば、上下の横框の断面形状が、パネル体の閉成状態において前後方向の長さが垂直方向の長さより長く形成されているので、開成状態において、横框が撓むのを小さくすることができる。すなわち、パネル体の開成状態においては、横框は閉性状態から略９０度回転することとなるので、横框の断面形状は垂直方向に長い矩形状となる。したがって、曲げ剛性が大きくなり、横框の撓みを小さくすることが出来る。
【００１３】
請求項３に係る跳ね上げ門扉によれば、上下の横框と縦桟とが溶接により接合されているので、横框と縦桟とが一体化しており、パネル体全体の曲げ剛性が大きくなっている。したがって、パネル体が撓むのを小さくすることが出来る。
【発明を実施するための最良の形態】
【００１４】
本発明の跳ね上げ門扉においては、パネル体がロートアルミ形材で形成されており、このロートアルミ形材は、鍛造により中空状アルミニウム形材の表面に凹凸を形成したもので、凹凸の形状により、鋳物、ロートアイアン等の各種風合いを呈することが出来る。このようなロートアルミ形材を製造するには、例えば、中空状のアルミニウム形材を、所望の凹凸形状を形成したローラー間を通過させることにより行う。パネル体は、上下の横框、左右の縦框、横框間に設けられる縦桟、縦框間に設けられる横桟等で構成され、これらがロートアルミ形材で形成されることとなる。
【００１５】
ロートアルミ形材の断面形状、寸法等は、用いる部位により適宜変更することができるが、横框においては、その断面形状をパネル体の閉成状態において前後方向の長さが垂直方向の長さより長く形成することが好ましく、断面積の大きさにより異なるが、通常、前後方向の長さが、垂直方向の長さより１．５倍以上であることが好ましい。このように構成することにより、横框が撓むのを小さくすることができる。
【００１６】
パネル体の横框、縦框、縦桟、横桟等は、それぞれ螺子で固定しても、溶接で接合してもよく、溶接で接合することによりパネル体の合成が向上するので好ましい。特に、横框と縦桟、縦框と横桟は溶接で接合することが好ましい。
【００１７】
本発明による跳ね上げ門扉の一実施形態を図面を参照して説明する。
【００１８】
図１は跳ね上げ門扉の正面図、図２は跳ね上げ門扉の平面図、図３は跳ね上げ門扉の右側面図、図４はパネル体の正面図、図５はパネル体の背面図、図６は図５中矢視ａで示す部分の拡大図、図７は図５中矢視ｂで示す方向から見た拡大図、図８は図２中矢視ｃの方向から見た拡大図、図９は図２中矢視ｄで示す部分の拡大図である。
【００１９】
図１〜図３において、符号１０は出入口の両端部に設置された支柱、符号２０は支柱１０には回動自在に設けられたアーム部、符号３０はアーム部２０の先端に設けられたパネル体３０であり、図３に示すように、アーム部２０を上下方向に回動することにより、パネル体３０を開閉するものである。
【００２０】
パネル体３０は、図４〜図５に示すように、両端に配置された縦框３１と、縦框３１の上下端に固定された上側横框３２及び下側横框３３とで枠が形成され、縦框３１の上部近傍間に横桟３４が固定されるとともに、上側及び下側横框３２、３３間に多数の縦桟３５が固定されている。そして、これらの縦框３１、上側及び下側横框３２、３３、横桟３４、縦桟３５は、鍛造により中空状アルミニウム形材の表面に凹凸を形成したロートアルミ形材で形成されたもので、鋳物調の風合いを持つ外観を呈している。また、縦框３１、上側及び下側横框３２、３３に用いたロートアルミ形材は、従来の跳ね上げ門扉に用いられた中空状アルミニウム形材を加工したものであり、表面が鋳物調の風合いを呈する他は、略同一の構造となっている。したがって、縦框３１のアーム部２０への固定方法等は、従来と同一の方法で行うことができる。
【００２１】
また、縦框３１と上側及び下側横框３２、３３、縦框３１と横桟３４及び上下の横框３２、３３と縦桟３５の固定は、従来、螺子により行われているが、本実施形態においては溶接により接合されている。したがって、従来のパネル体に比して剛性が格段に向上している。
【００２２】
また、横框３２、３３の断面形状は、従来と異なった形状に形成されており、すなわち、図７に示すように、パネル体の閉成状態において前後方向の長さｍが、垂直方向の長ｎより長く形成されており、前後方向の長さｍは、垂直方向の長さｎの約２倍の長さとなっている。したがって、横框３２、３３は、開成状態において、垂直方向に長い断面形状となるので、横框の曲げ剛性が従来に比して向上している。因みに、本実施例においては、長さｍが６０ｍｍ、長さｎが３０ｍｍである。
【００２３】
縦框３１の上部は、図６に示すように、背面側上部近傍にアーム部２０に固定するための螺子用貫通孔３６が形成されており、また、上端部は上側横框３２に嵌合するとともに螺子（図示せず）により固定されている。縦框３１の下部は、下側横框３３の端部が少し入り込み、図７に示すように、その下側横框３３の入り込んだ部位において螺子３７により固定している。さらに、下側横框３３の背面側（敷地内側）には、その長手方向の略全長に亘ってクッション３８が設けられ、車が門扉を通過中に誤ってパネル体３０が下降しても車に傷が付かないようになっている。
【００２４】
アーム部２０は、図８〜図９に示すように、上部アーム２１と下部アーム２２との２本のアームを有し、上部アーム２１の基部は支柱１０に設けられた回動機構１１に固定されるとともに、先端に当て板２３を介して縦框３１が螺子２４により固定され、また、下部アーム２２も同様に、基部が支柱１０に設けられた回動機構１２に固定されるとともに、先端に当て板２５を介して縦框３１が螺子２６により固定されている。したがって、回動機構１１、１２を中心として上部アーム２１、下部アーム２２が回動することにより、縦框３１が上昇又は下降してパネル体３０が開閉するようになっている。また、両側の上部アーム２１間には連結棒２７が設けられ、縦框３１を水平状態で動かすことが出来るようになっている。
【００２５】
以上のような跳ね上げ門扉においては、パネル体３０を構成する縦框３１、横框３２、３３、横桟３４及び縦桟３５を、鍛造により中空状アルミニウム形材の表面に凹凸を形成したロートアルミ形材で形成し、鋳物調の風合いを呈するようにしているので、周囲の環境に調和し極めて意匠性の高いものであり、また、軽量かつ十分な強度を有している。さらに、横框３２、３３は、開成時、略垂直方向に細長い形状を維持するものであるので、横框３２、３３の曲げ剛性が大きいのもであり、さらに、縦框３１と上側及び下側横框３２、３３、縦框３１と横桟３４及び上下の横框３２、３３と縦桟３５を溶接により接合しているので、パネル体３０全体の曲げ剛性が大きいものである。したがって、幅の広に出入口に設置した場合であってもパネル体３０が撓むことが無い。
【図面の簡単な説明】
【００２６】
【図１】本発明による跳ね上げ門扉の正面図
【図２】本発明による跳ね上げ門扉の平面図
【図３】本発明による跳ね上げ門扉の右側面図
【図４】本発明による跳ね上げ門扉に用いるパネル体の正面図
【図５】本発明による跳ね上げ門扉に用いるパネル体の背面図
【図６】図５中矢視ａで示す部分の拡大図
【図７】図５中矢視ｂで示す方向から見た拡大図
【図８】図２中矢視ｃの方向から見た拡大図
【図９】図２中矢視ｄで示す部分の拡大図
【符号の説明】
【００２７】
１０  支柱
２０  アーム部
２１  上部アーム
２２  下部アーム
３０  パネル体
３１  縦框
３２  上側横框
３３  下側横框
３４  横桟
３５  縦桟
【図１】
2009180002.tif 000003
【図２】
2009180002.tif 000004
【図３】
2009180002.tif 000005
【図４】
2009180002.tif 000006
【図５】
2009180002.tif 000007
【図６】
2009180002.tif 000008
【図７】
2009180002.tif 000009
【図８】
2009180002.tif 000010
【図９】
2009180002.tif 000011